(57)【要約】      （修正有）【課題】適切な姿勢を保持して腰痛などを抑制することができる姿勢保持ベルトを提供する。【解決手段】人体の腰椎のラインに倣い、着用者２０の腰近傍に向けて中間部１１が弧状に張り出すと共に、この中間部１１から上部に向かうにしたがって背中から離れる方向に反り返った形状である保持具１０と、この保持具１０に取り付けられたベルト本体とから、姿勢保持ベルトを構成する。【選択図】図５
0003216359.tif 000002
【実用新案登録請求の範囲】
【請求項１】
人体の腰椎のラインに倣い、背もたれ付きのシートに着座した着用者の腰近傍に向けて中間部が弧状に張り出すと共に、この中間部から上部に向かうにしたがって背中から離れる方向に反り返った平板である保持具と、
前記保持具に取り付けられたベルト本体と、を有する、
ことを特徴とする姿勢保持ベルト。
【請求項２】
前記保持具のほぼ中央近傍が開口され、中間部が左右一対の側部で構成された、
ことを特徴とする姿勢保持ベルト。
【請求項３】
前記保持具が、側部から中央に向かうにしたがって窪んでいる、
ことを特徴とする姿勢保持ベルト。
【請求項４】
着用者に着用される前記ベルト本体を有し、
前記保持具が腰と自動車のシートとの間に配置される、
ことを特徴とする姿勢保持ベルト。
【請求項５】
自動車のシートに取り付けられる、
ことを特徴とする姿勢保持ベルト。
【考案の詳細な説明】
【技術分野】
【０００１】
本考案は、着用者の適切な姿勢を保持するための姿勢保持ベルトに関するものである。
【背景技術】
【０００２】
従来、人体の脊柱は、Ｓ字状のカーブに近似したラインであるが、加齢や不適切な姿勢により、ラインの形状が崩れると、腰痛などが起きる。腰痛などの緩和を目的として、例えば下記特許文献１に記載されたコルセットがある。このコルセットが腰回りに巻き付けられることで、腹部に圧力が作用して腹腔圧が高まり、腰椎への負担が軽減される。
【先行技術文献】
【特許文献】
【０００３】
【特許文献１】特開２０１６−５４７９３号公報
【考案の概要】
【考案が解決しようとする課題】
【０００４】
しかし、上記したコルセットは、着用者の姿勢そのものを矯正するものではないため、例えば、長時間を要する自動車の運転時などにおいては、コルセットを着用していたとしても、姿勢が崩れると共に脊柱のラインが崩れ、腰痛などが起きる。
【０００５】
本考案は、上記の実情に鑑みて提案されたものである。すなわち、適切な姿勢を保持して腰痛などを抑制することができる姿勢保持ベルトの提供を目的とする。
【課題を解決するための手段】
【０００６】
上記目的を達成するために、本考案に係る姿勢保持ベルトは、人体の腰椎のラインに倣い、背もたれ付きのシートに着座した着用者の腰近傍に向けて中間部が弧状に張り出すと共に、この中間部から上部に向かうにしたがって背中から離れる方向に反り返った平板である保持具と、前記保持具に取り付けられたベルト本体と、を有する、ことを特徴とする。
【０００７】
上記目的を達成するために、本考案に係る姿勢保持ベルトは、前記保持具のほぼ中央近傍が開口され、中間部が左右一対の側部で構成された、ことを特徴とする。
【０００８】
上記目的を達成するために、本考案に係る姿勢保持ベルトは、前記保持具が、側部から中央に向かうにしたがって窪んでいる、ことを特徴とする。
【０００９】
上記目的を達成するために、本考案に係る姿勢保持ベルトは、着用者に着用される前記ベルト本体を有し、前記保持具が腰と自動車のシートとの間に配置される、ことを特徴とする。
【００１０】
上記目的を達成するために、本考案に係る姿勢保持ベルトは、自動車のシートに取り付けられる、ことを特徴とする。
【考案の効果】
【００１１】
本考案に係る姿勢保持ベルトは、人体の腰椎のラインに倣い、背もたれ付きのシートに着座した着用者の腰近傍に向けて中間部が弧状に張り出すと共に、この中間部から上部に向かうにしたがって背中から離れる方向に反り返った平板である保持具を有している。この構成により、着用者が背もたれに寄りかかると、着用者の腰のあたりが中間部から押されることで、保持具の形状に沿って着用者の姿勢が矯正される。このことによって、脊柱のラインがＳ字状に保持される。したがって、適切な姿勢を保持して腰痛などを抑制することができる。
【００１２】
本考案に係る姿勢保持ベルトは、保持具のほぼ中央近傍が開口され、中間部が左右一対の側部で構成されている。この構成により、側部が板バネのように作用し、着用者の背中にフィットし易くすることができる。また、開口された箇所を通じて通気性を向上させることができる。
【００１３】
本考案に係る姿勢保持ベルトは、保持具が、側部から中央に向かうにしたがって窪んでいる。すなわち、窪みに着用者の背中をフィットさせることができる。
【００１４】
本考案に係る姿勢保持ベルトは、着用者に着用されるベルト本体を有し、保持具が腰と自動車のシートとの間に配置される。すなわち、保持具が着用者の身体に巻き付けられることで、保持具が身体に対してずれるのを防ぐことができる。特に、長時間の運転時において、長時間に渡って適切な姿勢を保持することができる。
【００１５】
本考案に係る姿勢保持ベルトは、自動車のシートに取り付けられる。すなわち、保持具が自動車のシートに取り付けられることで、保持具を着用者の身体に巻き付ける場合と比較して、乗降時における着脱の煩わしさをなくすことができる。
【図面の簡単な説明】
【００１６】
【図１】図１は、本考案の実施形態に係る姿勢保持ベルトの外観が示され、（ａ）は着用者の腰のあたりに当たる側である表側から視した図、（ｂ）は、シートに当たる側である裏側から視した図である。
【図２】図２は、本考案の実施形態に係る姿勢保持ベルトの保持具を拡大して表側から視した拡大表面図である。
【図３】図３は、本考案の実施形態に係る姿勢保持ベルトの保持具を拡大して上方から視した拡大上面図である。
【図４】図４は、本考案の実施形態に係る姿勢保持ベルトの保持具を拡大して側方から視した拡大側面図である。
【図５】図５は、本考案の実施形態に係る姿勢保持ベルトの使用状態を説明する説明図である。
【考案を実施するための形態】
【００１７】
以下、本考案の実施形態に係る姿勢保持ベルトを図面に基づいて説明する。図１は、姿勢保持ベルト１の外観が示されている。図２、図３および図４は、姿勢保持ベルト１の保持具１０の外観が示されている。なお、以下の説明では、着用者の腰のあたりに当たる側を表側（図１（ａ））、シートに当たる側を裏側（図１（ｂ））とし、高さ方向を上下とし、幅方向を右側左側とする。
【００１８】
図１に示されているとおり、姿勢保持ベルト１は、保持具１０と、この保持具１０に取り付けられたベルト本体２とを有している。ベルト本体２は、中央のゴム帯部３と、メッシュ生地である左側帯部４および右側帯部５とが縫合されて構成されている。各帯部４，５の表側は、ゴム帯部３の近傍に、バンドループ６ａ，ｂ，ｃ，ｄが縫合されている。左側帯部４の表側は、先端に、面ファスナ７が縫合され、各帯部４，５の裏側は、それぞれの先端に、面ファスナ７が留められる生地８が縫合されている。
【００１９】
保持具１０は、平板であり、例えば、ＡＢＳ（ａｃｒｙｌｏｎｉｔｒｉｌｅｂｕｔａｄｉｅｎｅ ｓｔｙｒｅｎｅ）樹脂製である。図２から図４に示されているとおり、保持具１０は、人間工学に基づき、人体の腰椎のラインに倣った形状であり、側面から視して、表側に向けて中間部１１が弧状に張り出すと共に、この中間部１１から上部に向かうにしたがって、裏側に向けて反り返っている。保持具１０は、上方から視して、左右側部１２，１３から中央に向かうにしたがって、裏側に向けて緩やかに窪んでいる。
【００２０】
保持具１０は、ほぼ中央近傍が開口されて開口部１４が形成されている。開口部１４は、上下に長い長孔である。この開口部１４によって、中間部１１は、左右一対である左側部１２および右側部１３に分かれている。左右側部１２，１３は、それぞれ、上下一対のバンド通し孔１５ａ，ｂ，ｃ，ｄが形成され、このバンド通し孔１５ａ〜ｄにベルト保持バンド１６ａ，ｂが通されている。ベルト保持バンド１６ａ，ｂは、帯状であり、バンド通し孔１５ａ〜ｄに通されて環状な状態で、保持具１０の裏側で面ファスナによって留められている。
【００２１】
図１に示されているとおり、保持具１０のベルト保持バンド１６ａ，ｂが、ベルト本体２のバンドループ６ａ〜ｄに通されることで、保持具１０がベルト本体２に取り付けられる。
【００２２】
上記のとおり、姿勢保持ベルト１が構成されている。次に、姿勢保持ベルト１の効果を作用と共に説明する。図５は、姿勢保持ベルト１を着用した着用者２０が、例えば自動車などに備えられた背もたれ付きのシート（図示省略）に着座した状態が示されている。なお、着用者２０は、ベルト本体２を腰に巻き付けて留めることで、保持具１０を腰に当てるが、図５では、本実施形態を理解しやすくするために、ベルト本体２が省略され、保持具１０は断面が示されている。
【００２３】
図５において、保持具１０は、着座した着用者２０の腰あたりとシートとの間に配置されている。保持具１０は、人体の腰椎のラインに倣い、着用者２０の腰近傍に向けて中間部１１が弧状に張り出すと共に、この中間部１１から上部に向かうにしたがって背中から離れる方向に反り返った形状であるため、着用者２０の上半身は、シートに寄りかかると、中間部１１によって腰のあたりが押されると共に背中がシート側に向けて反り返った姿勢となる。すなわち、保持具１０の形状に沿って着用者２０の姿勢が矯正され、脊柱２１のラインがＳ字状に保持される。したがって、特に、長時間の運転時において、長時間に渡って適切な姿勢を保持して腰痛などを抑制することができる。
【００２４】
姿勢保持ベルト１の保持具１０は、ほぼ中央近傍が開口されて開口部１４が形成され、この開口部１４によって、中間部１１が、左右一対である左側部１２および右側部１３に分かれている（図２参照）。この構成により、左右側部１２，１３が板バネのように作用し、着用者２０の背中にフィットし易くすることができる。また、開口部１４を通じて通気性を向上させることができる。
【００２５】
姿勢保持ベルト１の保持具１０は、左右側部１２，１３から中央に向かうにしたがって、裏側に向けて緩やかに窪んでいる（図３参照）。すなわち、窪みに着用者の背中をフィットさせることができる。
【００２６】
なお、他の実施形態として、姿勢保持ベルト１の保持具１０は、自動車のシートなどに取り付けられる。この場合、ベルト本体２をシートに巻き付けてもよく、また、着脱手段を用いて保持具１０のみをシートに取り付けてもよい。すなわち、保持具１０が自動車のシートに取り付けられることで、保持具１０を着用者２０の身体に巻き付ける場合と比較して、乗降時における着脱の煩わしさをなくすことができる。
【００２７】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。本考案は、例えば、航空機、鉄道車両、船舶、会議室などの様々なシートにおいて、着座した着用者の姿勢を矯正することができる。
【符号の説明】
【００２８】
１          姿勢保持ベルト
２          ベルト本体
３          ゴム帯部
４          左側帯部
５          右側帯部
６ａ〜ｄ    バンドループ
７          面ファスナ
８          生地
１０        保持具
１１        中間部
１２        左側部
１３        右側部
１４        開口部
１５ａ〜ｄ  バンド通し孔
１６ａ，ｂ  ベルト保持バンド
２０        着用者
２１        脊柱
【図１】
0003216359.tif 000003
【図２】
0003216359.tif 000004
【図３】
0003216359.tif 000005
【図４】
0003216359.tif 000006
【図５】
0003216359.tif 000007
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
人体の腰椎のラインに倣い、背もたれ付きのシートに着座した着用者の腰近傍に向けて中間部が弧状に張り出すと共に、この中間部から上部に向かうにしたがって背中から離れる方向に反り返った平板である保持具と、
前記保持具に取り付けられたベルト本体と、を有する、
ことを特徴とする姿勢保持ベルト。
【請求項２】
前記保持具のほぼ中央近傍が開口され、中間部が左右一対の側部で構成された、
ことを特徴とする請求項１に記載された姿勢保持ベルト。
【請求項３】
前記保持具が、側部から中央に向かうにしたがって窪んでいる、
ことを特徴とする請求項１または請求項２に記載された姿勢保持ベルト。
【請求項４】
着用者に着用される前記ベルト本体を有し、
前記保持具が腰と自動車のシートとの間に配置される、
ことを特徴とする請求項１から請求項３のいずれか１項に記載された姿勢保持ベルト。
【請求項５】
自動車のシートに取り付けられる、
ことを特徴とする請求項１から請求項４のいずれか１項に記載された姿勢保持ベルト。